(57)【要約】【課題】電話用の呼出信号とファクシミリ用の呼出信号とを区別し、認識できる通信装置において、スタンバイ時に消費電力を低減することができ、また、二次電池の容量がなくなることによってシステムがダウンしても、電話の呼び出し信号を受信すれば鳴動する通信装置を提供することを目的とするものである。【解決手段】ＦＡＸ通信を行う通信部と、通話を行う通話部と、通信回線網を介して、着信したときに上記通話部の鳴動を行うか否かを自己保持的に切り替える鳴動切り替え手段と、外部電源に接続され、上記通信部に電源を供給する電源と、上記電源と上記外部電源との接続が絶たれたことを検知する電源断検知手段と、上記電源と上記外部電源との接続が絶たれたことを上記電源断検知手段が検知したときに、上記鳴動切り替え手段を鳴動側に切り替えるように制御する制御手段とを有することを特徴とする通信装置である。【選択図】  図１
2004242237.tif 000002
【特許請求の範囲】
【請求項１】
ＦＡＸ通信を行う通信部と；
通話を行う通話部と；
通信回線網を介して着信したときに、上記通話部の鳴動を行うか否かを、自己保持的に切り替える鳴動切り替え手段と；
外部電源に接続され、上記通信部に電源を供給する電源と；
上記電源が上記外部電源との接続を絶たれていることを検知する電源断検知手段と；
上記電源が上記外部電源との接続を絶たれていることを、上記電源断検知手段が検知すると、上記鳴動切り替え手段を鳴動側に切り替えるように制御する制御手段と；
を有することを特徴とする通信装置。
【発明の詳細な説明】
【０００１】
【発明の属する技術分野】
本発明は、自動受信機能を有するファクシミリ装置等の通信装置に関するものである。
【０００２】
【従来の技術】
従来のファクシミリ装置として、その着信時に、無鳴動着信を行う装置が知られている。
【０００３】
通常は、接続されている電話機の鳴動の有無を設定するリレーを設け、スタンバイ時は、上記リレーを無鳴動側に切り替え、ｃｉ信号が入力されると、一旦、着信し、ＣＮＧ信号の入力があれば、そのままＦＡＸ受信を行い、ＣＮＧ信号が入力されなければ、上記リレーを鳴動側に切り替え、接続されている電話機を鳴動させるように処理している。
【０００４】
また、最近、電話局のサービスで、回線効率を良くする目的で、１つの電話回線に、契約で、電話とファクシミリとを並列に接続し、電話とファクシミリとで互いに異なる呼出信号を交換機が送出するものがある。このサービスは、「Ｄｉｓｔｉｎｇｕｉｓｈｅｄ  Ｒｉｎｇｉｎｇ  Ｓｅｒｖｉｃｅ」と言われ、アメリカ、イギリス等で実行されている。
【０００５】
このサービスに対応するために、最近のファクシミリ装置では、電話、ファクシミリの間における互いに異なる呼出信号を区別し、認識できるように作られ、従来の電話とファクシミリとの自動切り替えに比べて、その自動切り替えが非常に正確で、効率が良い。
【０００６】
この場合、スタンバイ時に、上記リレーを無鳴動側に切り替え、電話の呼び出し信号を受信すると、上記リレーを即座に鳴動側に切り替える。
【０００７】
ところで、上記切り替え用リレーを使用する場合、ＯＦＦで鳴動側、ＯＮで無鳴動側となるように構成することが一般的である。つまり、上記とは逆に、ＯＮで鳴動側、ＯＦＦで無鳴動側になるように構成すると、停電が発生したときに、無鳴動のままシステムがダウンし、その状態で着信しても接続されている電話が鳴動しないので、非常時に電話を使用することができず、この状態になることを防止することができず、この弊害を阻止するために、ＯＦＦで鳴動側、ＯＮで無鳴動側となるように構成している。
【０００８】
したがって、第１の従来例では、もっぱら無鳴動着信を行うファクシミリシステムであっても、通常のリレーを用い、無鳴動着信設定時にリレーがＯＮ状態を維持するように制御している。
【０００９】
また、第２の従来例では、上記自動切り替えを行う場合、省電力を目的としてラッチングリレーを用いている（たとえば、特許文献１参照）。
【００１０】
【特許文献１】
特開平０９−０３６９９７号公報
【００１１】
【発明が解決しようとする課題】
しかし、上記第１の従来例では、通常は、無鳴動の設定を行うシステムにおいても常にリレーに電流を流し続けるので、スタンバイ時に消費電力を低減することができないという問題がある。
【００１２】
また、上記第２の従来例は、サブＣＰＵに電源を供給する二次電池を設け、常にＣＩ信号を監視し、ＦＡＸ着信があったときに本体を立ち上げる構成であり、停電時には特別な処理が行われないので、二次電池の容量がなくなった時点で、無鳴動状態を維持した状態でシステムがダウンするという問題がある。
【００１３】
本発明は、電話用の呼出信号とファクシミリ用の呼出信号とを区別し、認識できる通信装置において、スタンバイ時に消費電力を低減することができ、また、二次電池の容量がなくなることによってシステムがダウンしても、電話の呼び出し信号を受信すれば鳴動する通信装置を提供することを目的とするものである。
【００１４】
【課題を解決するための手段】
本発明は、ＦＡＸ通信を行う通信部と、通話を行う通話部と、通信回線網を介して、着信したときに上記通話部の鳴動を行うか否かを自己保持的に切り替える鳴動切り替え手段と、外部電源に接続され、上記通信部に電源を供給する電源と、上記電源と上記外部電源との接続が絶たれたことを検知する電源断検知手段と、上記電源と上記外部電源との接続が絶たれたことを上記電源断検知手段が検知したときに、上記鳴動切り替え手段を鳴動側に切り替えるように制御する制御手段とを有することを特徴とする通信装置である。
【００１５】
【発明の実施の形態と実施例】
図１は、本発明の一実施例であるファクシミリ装置ＦＳ１を示すブロック図である。
【００１６】
ファクシミリ装置ＦＳ１において、バスライン１を介して、中央制御部（ＣＰＵ）２、ＲＯＭ３、読取部４、記録部５、ＲＡＭ６、不揮発性ＲＡＭ７、キャラクタジェネレート（ＣＧ）８、操作部９、表示部１０、モデム部１１、網制御ユニット（ＮＣＵ）１２が互いに接続されている。
【００１７】
ＮＣＵ１２は、通信回線１３と電話機１４とに接続されている。電話機１４は、ハンドセット、スピーチネットワーク、ダイヤラ、リンガー、テンキー、ワンタッチキー等を備えている。
【００１８】
ＣＰＵ２は、マイクロプロセッサ等によって構成され、ＲＯＭ３に記録されている所定の演算プログラムに基づいて、読取部４、記録部５等、上記各構成要素を制御する。
【００１９】
読取部４は、ＤＡＭコントローラ、画像処理ＩＣ、コンタクトセンサ（ＣＳ）等のイメージセンサ、ＣＭＯＳロジックＩＣ等によって構成され、イメージセンサによって読取られたデータを、ＣＰＵ２の制御に基づいて二値化し、この二値化データを順次ＲＡＭ６に送る。
【００２０】
記録部５は、ＤＭＡコントローラ、インクジェット記録装置、ＣＭＯＳロジックＩＣ等によって構成され、ＲＡＭ６に格納されている記録データを取り出し、ハードコピーとして記録出力する。
【００２１】
ＲＡＭ６は、読取部４によって読取られた二値化データや、ＮＣＵ１２とモデム１１とを介して、復調された二値化データ、または記録部５に記録される二値化データ、通信回線１３に出力する二値化データを格納する。
【００２２】
不揮発性ＲＡＭ７は、ファクシミリ装置ＦＳ１へのＡＣ電源の入力が遮断された状態においても、短縮ダイヤル等を保存しておくべき所望のデータを格納する。ＣＧ８は、ＪＩＳコード、ＡＳＣＩＩコード等のキャラクタを予め格納するＲＯＭであり、ＣＰＵ２の制御に基づいて、必要に応じて２バイトのデータで、所定コードに対応するキャラクタデータを出力する。
【００２３】
操作部９は、原稿搬送路に設けられている原稿検出部１５と、オンフックまたはオフフックを行うフッキングスイッチ１６と、画像の送受信等をスタートさせるスタートキー（不図示）と、送受信時におけるファイン、標準、自動受信等の操作モードを指定するモード選択キー（不図示）と、ダイヤリング用のテンキーとワンタッチキー（不図示）等を備え、原稿が検出されたときや、フッキングスイッチ１６または上記各キーが押下されたときに、オン信号が副制御部１７に入力される。すなわち、操作部９には、キーマトリックス回路１８が内蔵され、上記キーマトリックス回路１８によって入力指令された上記各種キー等を識別し、そのオン信号を副制御部１７に入力する。
【００２４】
表示部１０は、時計表示用の７セグメントディスプレイと、各種モードを表示する絵文字液晶ディスプレイ（ＬＣＤ）１９と、５×７ドット１６桁×１行の表示を行うことができるドットマトリクスＬＣＤ（不図示）と、発光ダイオード（ＬＥＤ）等によって構成されている。
【００２５】
モデム部１１は、Ｇ３またはＧ２モデムと、これらのモデムに接続されているクロック発生回路等によって構成され、ＣＰＵ２の制御に基づいてＲＡＭ６に格納されている送信データを変調し、ＮＣＵ１２を介して、通信回線１３に出力する。また、通信回線１３からのアナログ信号を、ＮＣＵ１２を介して供給し、上記アナログ信号を所定の二値化データに変調し、ＲＡＭ６に格納する。
【００２６】
ＮＣＵ１２は、電話機オフフック検出部２０と、フォトカプラを備えた呼出信号検出部２１と、電話機１４を通信回線１３から切り離すラッチングリレー６２（図３で詳細に説明する）と、通信回線１３を１次側と２次側とに分離するトランス６４（図３で詳細に説明する）とを備えている。また、ＮＣＵ１２は、ＣＰＵ２の制御に基づいて、ＣＭＬリレー６３によって通信回線１３をモデム部１１、電話機１４のいずれか一方に切り替えて接続するとともに、オフフック信号または呼出信号が検出されたときに、その検出信号を副制御部１７に送信する。
【００２７】
また、ＣＰＵ２は、ＣＰＵ２をリセットするためのリセット用電圧検出回路２６が接続され、リセット用電圧検出回路２６とＣＰＵ２とには、主電源２７から電力が供給される。
【００２８】
図２は、上記実施例において、ＣＰＵ２と、ＣＰＵ２のリセット電圧検出回路２６との詳細を示す回路図である。
【００２９】
図２に示すように、リセット用電圧検出回路２６の電源供給ポートＶｉｎと、ＣＰＵ２の電源供給ポートＶｄｄとには、主電源２７（＋５Ｖ）から電力が供給される一方、出力ポートＲＥからは、ＣＰＵ２のリセットポートＲＥＳＥＴにその出力信号を入力する。
【００３０】
そして、主電源２７から供給される電源電圧が４．５Ｖ以下であれば、上記出力ポートＲＥは、ローレベル信号を出力し、上記電源電圧が４．５Ｖ以上になれば、ＣＰＵ２のリセットに要する時間だけ、ローレベル信号を維持し、ＣＰＵ２のリセット後に、ハイレベル信号を出力するように動作する。そして、リセット用電圧検出回路２６の出力ポートＲＥから出力された出力信号ａｃＰＷは、副制御部１７に入力され、モニタされる。なお、ＣＰＵＳＩ／Ｏを介して、副制御部１７からの情報が、ＣＰＵ２に常時入力されている。
【００３１】
図３は、上記実施例における主電源制御部の詳細を示すブロック図である。
【００３２】
副制御部１７は、ファクシミリ装置ＦＳ１の本体の各部位（ブロック）への電力供給を制御し、図３に示すように、８ビットの１チップマイクロコンピュータからなる主電源制御部（以下、単に「マイコン」という）２８と、コンデンサタイプの二次電池２９と、太陽電池３０とを備えている。
【００３３】
マイコン２８は、超低消費電力で動作可能であり、タイマ手段が内蔵されている。また、マイコン２８の入力ポートＩＮ０〜７と、出力ポートＯＵＴ０〜３とには、操作部９のキーマトリクス回路１８が接続され、マイコン２８のソフト制御によって押下されたキー等の識別を行う。
【００３４】
さらに、マイコン２８の入力ポートＩＮ１３には、操作部９の原稿検出部１５が接続されている。原稿検出部１５は、発光素子を有するフォトセンサやトランジスタによって構成され、出力ポートＯＵＴ６からハイレベル信号が出力されているときに、フォトセンサが発光し、原稿を検出し、原稿が有ると判断されれば、マイコン２８の入力ポートＩＮ１３に原稿検出信号（ハイレベル信号）が入力され、原稿が無いと判断されれば、入力ポートＩＮ１３にローレベル信号が入力される。また、出力ポートＯＵＴ６からローレベル信号が出力されていると、フォトセンサが発光せず、原稿を検出しない。
【００３５】
さらに、マイコン２８の入力ポートＩＮ１１と出力ポートＯＵＴ６とには、ＮＣＵ１２の電話機オフフック検出部２０が接続され、マイコン２８の入力ポートＩＮ１２には、ＮＣＵ１２の呼出信号検出部２１が接続されている。そして、電話機オフフック検出部２０には、主電源２７、二次電池２９または太陽電池３０から、所定の動作電流が、マイコン２８の出力ポートＯＵＴ６を介して、流れ込む。また、電話機１４がオフフックされると、ローレベル信号がマイコン２８の入力ポートＩＮ１１に入力され、上記ローレベル信号をマイコンが認識し、出力ポートＯＵＴ５から出力されたハイレベル信号（ＰＳ信号）が、主電源２７を起動させ、シリアルインタフェースｓＩ／Ｏを介して、ＣＰＵ２にその情報を送信し、上記ＣＰＵ２が上記情報に応じて各ブロックを制御する。
【００３６】
また、通信回線１３を介して、呼出信号検出部２１が呼出信号を検出すると、その着信信号（ローレベル信号）が、マイコン２８の入力ポートＩＮ１２に入力される。マイコン２８が、上記着信信号（ローレベル信号）を認識し、出力ポートＯＵＴ５からハイレベル信号（ＰＳ信号）を出力し、このハイレベル信号が主電源を起動させ、シリアルインタフェースｓＩ／Ｏを介して、ＣＰＵ２に、その情報を送信し、上記ＣＰＵ２が、上記情報に応じて各ブロックを制御する。
【００３７】
また、マイコン２８のコモンポートＣＯＭ０〜４とセグメントポートＳＥＧ０〜１１とには、表示部１０の絵文字ＬＣＤ１９が接続され、マイコン２８が絵文字ＬＣＤ１９を制御することによって、主電源２７が停止しているときにも、ほとんど電力を消費することなく、所望の表示を行うことができる。
【００３８】
マイコン２８の出力ポートＯＵＴ４には、ＤＣ−ＤＣコンバータ（以下、単に「コンバータ」という）３１の入力ポートＳＥＬが接続されている。上記コンバータ３１の電源供給ポートＶｉｎは、３系統の電力供給源と接続されている。
【００３９】
すなわち、電源供給ポートＶｉｎは、逆流防止用ショットキーバリアダイオード３２を介して、主電源の＋５Ｖ供給源と接続され、逆流防止用ダイオード３３を介して、太陽電気３０と接続され、抵抗３４を介して、二次電池２９と接続されている。
【００４０】
そして、電源供給ポートＶｉｎに供給されている上記３個の供給電源は、主電源２７からの供給電源は、ショットキーバリアダイオード３２によって４．８Ｖに制御され、太陽電池３０からの供給電源は、ダイオード３３によって４．６Ｖに制御され、二次電池２９からの供給電源は、その充電状態による。
【００４１】
したがって、主電源２７がオン状態にあるときは、主電源２７からの電力供給が最優位になり、抵抗３４を介して、二次電池２９を充電し、また、コンバータ３１の電源出力ポートＶｏｕｔを介して、電源Ｖｃｃに電力を供給する。なお、このときに、太陽電池３０が低電位であるので、太陽電池３０から二次電池２９に電流が流れ込まない。また、主電源２７は、オフ状態にあるが、太陽電池３０から電力が供給されている場合（主電源２７は動作していないが光エネルギが供給されている場合）、二次電池２９の電位が太陽電池３０の電位よりも高ければ、コンバータ３１の電源出力ポーサＶｏｕｔを介して、二次電池２９から電源Ｖｃｃに電力が供給され、太陽電池３０からは供給されない。
【００４２】
一方、太陽電池３０の電位が、二次電池の電位よりも高ければ、上記電源出力ポートＶｏｕｔを介して、太陽電池３０から電源Ｖｃｃに電力が供給され、また、抵抗３４を介して二次電池２９が充電される。さらに、主電源２７がオフ状態にあり、太陽電池３０も電力供給がなされていなければ、電源出力ポートＶｏｕｔを介して、二次電池２９から電源Ｖｃｃに電力が供給される。このように副制御部１７への電力供給優先順位を、主電源２７、太陽電池３０、二次電池２９の順に設定することによって、最も効率の良い理想的な電力供給を実現することができる。
【００４３】
また、コンバータ３１の入力電圧が出力電圧よりも高ければ、シリーズレギュレータとして作用し、入力電圧が出力電圧よりも低ければ、昇圧スイッチングレギュレータとシリーズレギュレータとを兼ねる作用を実行する。そして、出力電圧として、５Ｖ、３Ｖのいずれかを選択することができ、入力ポートＳＥＬがハイレベルであれば、出力ポートＶｏｕｔから５Ｖが出力され、ローレベルであれば、出力ポートＶｏｕｔから３Ｖが出力される。なお、コンバータ３１の供給電圧ポートＶｉｎに入力される電圧が、０．９Ｖ以上であれば、出力ポートＶｏｕｔから５Ｖ、３Ｖのいずれかの電圧が常に出力される。
【００４４】
太陽電池３０とマイコン２８の入力ポートＩＮ８との間に、太陽電池電圧検出回路３５が介装され、太陽電池３０の電圧を検出する。そして、電圧検出回路３５が検出した電圧が２．５Ｖ以上であれば、その出力ポートＯＵＴがハイレベルになり、２．５Ｖ以下であれば、出力ポートＯＵＴがローレベルになり、マイコン２８の入力ポートＩＮ８に入力され、太陽電池３０から電源供給すべきか否を、マイコン２８が判断する。
【００４５】
また、二次電池２９とマイコン２８の入力ポートＩＮ９との間に、放電電圧検出回路３６が介装され、二次電池２９とマイコン２８の入力ポートＩＮ１３との間に、満充電電圧検出回路３７が介装され、放電電圧検出回路３６、満充電電圧検出回路３７が、二次電池２９の充放電状態を検出している。すなわち、放電電圧検出回路３６が検出した電圧が１．２Ｖ以上であれば、放電電圧検出回路３６の出力ポートＯＵＴからハイレベル信号が出力され、１．２Ｖ以下であれば、ローレベル信号が出力され、これら出力された信号が、マイコン２８の入力ポートＩＮ９に入力される。
【００４６】
これによって、二次電池を充電すべきか否かを、マイコン２８が判断する。また、満充電電圧検出回路３７が検出した電圧が４．８Ｖ以上であれば、満充電電圧検出回路３７の出力ポートＯＵＴからハイレベル信号が出力され、４．８Ｖ以下であれば、ローレベル信号が出力され、これら出力された信号が、マイコン２８の入力ポートＩＮ１３に入力される。そして、これによって、二次電池２９が満充電か否かを、マイコン２８が判断する。
【００４７】
さらに、コンバータ３１の電源出力ポートＶｏｕｔに、マイコン２８の電源ポートＶｄｄが接続され、上記電源出力ポートＶｏｕｔとマイコン２８のリセットポートＲＥＳＥＴとの間に、マイコンリセット用電圧検出回路３８が介装され、マイコンリセット用電圧検出回路３８の出力ポートＲＥからの出力信号が、リセットポートＲＥＳＥＴに入力される。すなわち、コンバータ３１の電源出力ポートＶｏｕｔから出力された電圧が２．７Ｖ以下であれば、リセット電圧検出回路３８の出力ポートＲＥからローレベル信号が出力され、２．７Ｖ以上になると、マイコン２８のリセットに要する時間だけ、マイコン内蔵のタイマ手段がローレベル信号の出力を長時間維持し、マイコン２８がリセットされた後に、ハイレベル信号を出力する。
【００４８】
上記のように構成された副制御部１７は、ＮＣＵ１２からの着信信号、操作部９からの原稿検出信号またはオン信号が入力させると、その起動信号は、主電源２７に送信される。そして、主電源２７は、スイッチング電源で構成され、ＡＣ入力されると、外部からスイッチングをオン・オフ制御することができ、副制御部１７からの起動信号、停止信号によって、それぞれ、電力を供給し、停止する。これによって、効率の良い電力供給を行うことができ、外部からのオン・オフを容易に行うことができる。
【００４９】
図４は、上記実施例における主電源２７の詳細を示す回路図である。
【００５０】
すなわち、ＡＣ入力が、フィルタ回路３９、整流回路４０、平滑回路４１を経て、絶縁トランス４２に供給され、ＦＥＴ４３によってスイッチングされる。
【００５１】
主電源２７は、一次側巻線４４と、二次側巻線４５と、補助巻線４６とを有する。
【００５２】
ＦＥＴ４３は、抵抗４７を介して、発振制御回路４８に接続されている。発振制御回路４８は、絶縁トランス４２の一次側の発振制御を行うＩＣであり、その電源Ｖｄｄは、補助巻線４６によって供給される。絶縁トランス４２の二次側巻線４５から、第１の整流・平滑回路４９と第２の整流・平滑回路５０とを介して、それぞれ、＋２４Ｖ、＋５Ｖの電源を各ブロックに供給する。
【００５３】
さらに、第１の整流・平滑回路４９は、電流検出回路５１に接続され、また第１の整流・平滑回路４９と第２の整流・平滑回路５０とに、過電圧検出回路５２が接続されている。これら電流検出回路５１と過電圧検出回路５２との出力信号は、フォトカプラ５３、５４を介して、発振制御回路４８にフィードバックされる。また、発振制御回路４８は、二次側電流によってＰＷＭ制御が行われ、過電圧検出回路５２が過電圧を検出すると、全系を遮断するように構成されている。
【００５４】
ＰＳ信号は、フォトカプラ５５を介して、発振制御回路４８に入力される。すなわち、ＰＳ信号がローレベルであると、トランジスタ５６がオンし、フォトカプラ５５に電流が流れる。そして、上記フォトカプラ５５は、電流電圧変換し、発振制御回路４８の入力ポートＩＮ１に、ローレベル信号を入力し、次いで上記ローレベル信号に基づいて、発振制御回路４８の出力ポートＯＵＴ１が発振するので、一次側がＦＥＴ４３を介して、発振し、二次側に電力を供給し、主電源２７がオンする。
【００５５】
一方、ＰＳ信号がハイレベルであれば、トランジスタ５６がオフするので、発振制御回路４８の入力ポートＩＮ１に、ハイレベル信号が入力される。上記ハイレベル信号によって、発振制御回路４８の出力ポートＯＵＴ１が発振せず、ＦＥＴ４３がオフし、一次側の発振を停止させ、主電源２７の動作を停止する。
【００５６】
たとえば、スタンバイ時に、図３に示すフッキングスイッチ１６が押下された場合、操作部９のキーマトリクッス回路１８からオン信号が出力され、マイコン２８がフッキングスイッチ１６の押下を認識し、マイコン２８の出力ポートＯＵＴ５をローレベルとし、すなわちＰＳ信号をローレベルとして主電源２７を起動させ、シリアルインタフェースｓＩ／Ｏを通じて、ＣＰＵ２にその情報を送り、ＣＰＵ２がＮＣＵ１２を制御し、装置はオフフック状態になる。なお、電流制限用の抵抗５８、５９、６０、６１、分圧抵抗６２が設けられ、フォトカプラ５５は、一次側と二次側との絶縁も行う。
【００５７】
次に、ファクシミリ装置ＦＳ１の動作について、さらに詳述する。
【００５８】
図５は、ファクシミリ装置ＦＳ１における通信スタンバイ状態の動作を示すフローチャートである。
【００５９】
ここで、通信スタンバイ状態とは、メインシステムが通信のための動作指令を行うと、何時でも、通信が可能である状態である。
【００６０】
図５において、ＡＣ電源の入力が開始されると（ステップＳ１）、主電源２７がオンし（ステップＳ２）、副制御部１７のマイコン２８をイニシャライズする（ステップＳ３）。そして、マイコン２８のイニシャライズが完了した時点で、通信スタンバイ状態になる。
【００６１】
次いで、ＣＰＵ２がイニシャライズされ（ステップＳ４）、主電源２７によって二次電池２９の充電が開始される（ステップＳ５）。すなわち、この通信スタンバイ状態で、主電源２７は、二次電池２９を充電し続ける。このように、二次電池を充電するためにのみ主電源をオンし、動作させている状態を「スタンバイ充電状態」という。
【００６２】
ステップＳ６では、二次電池２９の充電が完了したか否かを、満充電検出回路３７が判断する。充電が完了していなければ、充電完了を待ち、一方、充電が完了している場合は、ステップＳ７に進み、主電源２７をオフする。
【００６３】
すなわち、マイコン２８の出力ポートＯＵＴ５からの出力信号（ＰＳ信号）をハイレベルにする。具体的には、主電源２７に内蔵されているトランジスタ５６をオフし、フォトカプラ５５をオフさせる。これによって、発振制御回路４８の入力ポートＩＮ１の入力信号がハイレベルになり、二次側への電力供給が停止され、主電源２７がオフする。次いで、ＣＰＵ２が、リセット用電圧検出手段２６を介して、リセットされ（ステップＳ８）、二次電池２９または太陽電池３０による電力供給を開始する。このように主電源２７がオフし、マイコン２８が二次電池２９または太陽電池から電力供給される状態を、単に「スタンバイ状態」という。
【００６４】
図６は、ファクシミリ装置ＦＳ１における通信スタンバイ状態の動作を示すフローチャートである。
【００６５】
図６に示すステップＳ９では、二次電池２９と太陽電池３０とによる電力供給を開始し、次いでステップＳ１０に進み、上記電力供給中に太陽電池３０が供給する電力のうちで、余った電力で二次電池２９を充電する。
【００６６】
次に、ステップＳ１１に進み、太陽電池３０の供給電力が減少し、その電位が二次電池２９の電位よりも低くなったか否かを判断し、その判断結果が否定（Ｎｏ）であれば、ステップＳ１０に戻り、一方、その判断結果が肯定（Ｙｅｓ）であれば、二次電池２９の電位が、所定電圧（たとえば、１．２Ｖ）以下であるか否かを判断する（ステップＳ１２）。
【００６７】
そして、その判断結果が否定（Ｎｏ）であれば、ステップＳ１０に戻り、一方、二次電池２９の放電によってその電位が所定電圧以下となっていれば、主電源２７をオンする（ステップＳ１３）。すなわち、マイコン２８の出力ポートＯＵＴ５の出力信号（ＰＳ信号）をローレベルにする。これによって、主電源２７のトランジスタ５６がオンするので、フォトカプラ５５がオンし、発振制御回路４８の入力ポートＩＮ１がローレベルになり、ＦＥＴ４３がオンし、一次側が発振し、二次側に電力が供給され、主電源２７がオンする。そして、主電源２７がオンすると、再びステップＳ４に戻り、ＣＰＵ２がイニシャライズされ、再び二次電池２９の充電が開始される。これによって、通信スタンバイ状態を保持したまま、二次電池２９が充電される。
【００６８】
このように、ファクシミリ装置ＦＳ１において、太陽電池３０の供給する電力のうちで、余分の電力で二次電池２９を充電するので、電力を無駄なく利用することができ、主電源２７が動作していないスタンバイ状態を長く維持することができ、消費電力の低減を図ることができる。
【００６９】
図７は、上記実施例において、通信スタンバイ状態にあるときにファクシミリ送信を行う動作を示すフローチャートである。
【００７０】
まず、ステップＳ２１では、原稿があるか否かを、原稿検出部１５で判断する。この判断結果が否定（Ｎｏ）であれば、フッキングスイッチ１６が押下されたか否かを判断し（ステップＳ２２）、その判断結果が否定（Ｎｏ）であれば、電話機１４がオフフックされたか否かを、ＮＣＵ１２のオフフック検出部２０を介して判断する（ステップＳ２３）。
【００７１】
そして、この判断結果が否定（Ｎｏ）であれば、ステップＳ２１に戻り、一方、ステップＳ２１〜ステップＳ２３のいずれかの判断結果が肯定（Ｙｅｓ）であれば、これらのオン信号がマイコン２８に入力される。
【００７２】
次いで、マイコン２８は、上記オン信号を認識し、主電源２７をオンする（ステップＳ２４）。すなわち、マイコン２８の出力ポートＯＵＴ５からローレベル（ローレベルのＰＳ信号）が出力され、フォトカプラ５５をオンさせる。次いでフォトカプラ５５のオンによって、発振制御回路４８が、ＦＥＴ４３を介して、一次側を発振させ、二次側に電力を供給し、主電源２７をオンする。主電源２７のオンによって、ＣＰＵ２がイニシャライズされ（ステップＳ２５）、二次電池２９の充電を開始する（ステップＳ２６）。
【００７３】
主電源２７がオンしている間、二次電池２９が充電され続ける。Ｓ２１〜Ｓ２３のどの起動要因で主電源２７をＯＮしたかを示す情報が、シリアルインタフェースｓＩ／Ｏを介して、ＣＰＵ２に送信され、その後に、ＣＰＵ２が中心になって制御する。
【００７４】
すなわち、この状態で送信先に電話をかけ（ステップＳ２７）、所定のネゴシエーションによって回線が捕捉された後に（ステップＳ２８）、ファクシミリ送信を行う（ステップＳ２９）。そして、送信が終了すると（ステップＳ３０）、回線が切断される（ステップＳ３１）。回線が切断されると、シリアルインタフェースｓＩ／Ｏを介して、その情報がマイコン２８に送られ、これに従ってマイコン２８が、ＰＳ信号をハイレベルにし、主電源２７の動作を停止する（ステップＳ３２）。そして、ＣＰＵ２がリセットされ（ステップＳ３３）、二次電池の充電が終了し（ステップＳ３４）、通信スタンバイ状態になり（ステップＳ３５）ステップＳ９（図６）に戻る。
【００７５】
図８は、上記実施例において、通信スタンバイ状態にあるときに、ファクシミリ受信を実行する動作を示すフローチャートである。
【００７６】
ステップＳ４１では、フッキングスイッチ１６が押下されたか否かを判断し、その判断結果が否定（Ｎｏ）であれば、電話機１４がオフフックされたか否かを、ＮＣＵ１２のオフフック検出部２０を介して、判断する（ステップＳ４２）。そして、その判断結果が否定（Ｎｏ）であれば、ステップＳ４３に進み、一方、ステップＳ４１、ステップＳ４２のいずれか一方の判断結果が肯定（Ｙｅｓ）であれば、これらのオン信号がマイコン２８に入力され、主電源２７をオンする（ステップＳ４４）。
【００７７】
すなわち、マイコン２８の出力ポートＯＵＴ５からローレベル（ローレベルのＰＳ信号）が出力され、フォトカプラ５５をオンさせる。次いでフォトカプラ５５のオンによって、ＦＥＴ４３を介して、発振制御回路４８が一次側を発振させ、二次側に電力を供給し、主電源２７をオンする。主電源２７のオンによって、ＣＰＵ２がイニシャライズされ（ステップＳ４５）、二次電池２９の充電を開始する（ステップＳ４６）。
【００７８】
主電源２７がオンしている間、二次電池２９は充電され続け、Ｓ４１、Ｓ４２のいずれの起動要因によって、主電源２７がＯＮしたか否かを示す情報が、シリアルインタフェースｓＩ／Ｏを介して、ＣＰＵ２に送信され、その後ＣＰＵ２が中心になって制御する。
【００７９】
すなわち、この状態で、送信元に電話をかけ（ステップＳ４７）、所定のネゴシエーションによって回線が捕捉された後（ステップＳ４８）に、ファクシミリ受信する（ステップＳ４９）。そして、受信が終了すると（ステップＳ５０）、回線が切断される（ステップＳ５１）。回線が切断されると、シリアルインタフェースｓＩ／Ｏを介して、その情報がマイコン２８に送られ、これに従って、マイコン２８が、ＰＳ信号をハイレベルに変化させ、主電源２７の動作を停止させる（ステップＳ５２）。
【００８０】
そしてＣＰＵ２がリセットされ（ステップＳ５３）、二次電池２９の充電を終了し（ステップＳ５４）、通信スタンバイ状態になり（ステップＳ５５）ステップＳ９（図６）に戻る。
【００８１】
一方、ステップＳ４２の判定結果が否定（Ｎｏ）であり、ステップＳ４３に進むと、上記ステップＳ４３では、ＮＣＵ１２の呼出信号検出部２１に入力された呼出信号のリングケーデンスが、ファクシミリ用のリングケーデンスであるか否かを、マイコン２８が識別し、ファクシミリ用の呼出信号が検出されたか否かを判断する。このときに、ファクシミリ用として決められた呼出信号のリングケーデンスを、マイコン２８に予め設定する。
【００８２】
そして、判断結果が否定（Ｎｏ）であれば、ステップＳ４１に戻り、一方、その判断結果が肯定（Ｙｅｓ）であれば（ファクシミリ用の呼出信号が検出されれば）、ステップＳ４４〜ステップＳ４６と同様に、ステップＳ５６〜ステップＳ５８を実行し（主電源２７をオンし、ＣＰＵ２をイニシャライズする等）、以降は、上記ステップＳ４８〜ステップＳ５５の各ステップを実行し、図６のステップＳ９に戻る。
【００８３】
図９は、上記実施例において、スタンバイ状態で、ファクシミリに接続している電話に呼出信号が入力しても、呼出音発生回路（不図示）を鳴動せずに、ファクシミリを自動受信する（無鳴動受信する）動作を示すフローチャートである。
【００８４】
すなわち、ステップＳ６１では、マイコン２８の出力ポートＯＵＴ６から、１パルス駆動信号をラッチングリレー６２（１パルスの駆動信号で接点切換が可能なリレー）に入力し、接点をＢにすることによって、ファクシミリに接続している電話機を電話回線から切り離し、その状態を保持する。
【００８５】
そして、ステップＳ６２では、ＮＣＵ１２の呼出信号検出部２１によって呼出信号（ＣＩ）が検出されたか否かを判断し、判断結果が肯定（Ｙｅｓ）であれば、その呼出信号が、マイコン２８に予め設定されているリングケーデンス（ファクシミリ用）の呼出信号であるか否かを判断する（ステップＳ６３）。この判断結果が肯定（Ｙｅｓ）であれば、主電源２７をオンし（ステップＳ６４）、ＣＰＵ２をイニシャライズし（ステップＳ６５）、二次電池の充電を開始し（ステップＳ６６）、一方回線が捕捉され（ステップＳ６７）、自動受信でファクシミリ受信が行われる（ステップＳ６８）。
【００８６】
以降、図８に示す上記ステップＳ５０〜ステップＳ５５の各ステップを処理し、図６のステップＳ９に戻る。
【００８７】
一方、ステップＳ６３で判断結果が否定（Ｎｏ）であり、ステップＳ６９に進むと、マイコン２８の出力ポートＯＵＴ６からラッチングリレー６２へ、１パルス駆動信号を出力し、回線切換を行い、接点をＡにし（ステップＳ６９）、ファクシミリに接続している上記電話機を電話回線に繋ぐようにする。そして、電話機に呼出信号が入力され、電話機が鳴動する。１分経過しても電話機がオンフックのままであれば（ステップＳ７１のＹｅｓ）、ラッチングリレーをＢ接点にし（ステップＳ７３）、スタンバイ状態を保つ。
【００８８】
また、電話機がオフフックすると（ステップＳ７０のＹｅｓ）、次の電話機のオンフック後に（ステップＳ７２のＮｏ）、ラッチングリレーをＢ接点にする。
【００８９】
図１０は、図９に示すスタンバイ状態での無鳴動受信ルーチンの変形例を示すフローチャートである。
【００９０】
図１０に示すフローチャートでは、図９に示すフローチャートにおいて、ＦＡＸ用ＣＩが検出されない場合（Ｓ６３）、電話用ＣＩが検出されたか否かを判断し（Ｓ６３１）、電話用ＣＩが検出されない場合には、Ｓ６１に戻り、ラッチングリレーＢ接点に戻る（Ｓ６１）。この点のみが、図９に示すフローチャートとは異なる。
【００９１】
次に、上記実施例における停電時の動作について説明する。
【００９２】
図１１は、上記実施例における停電時の動作を示すフローチャートである。
【００９３】
Ｓ７５では、停電監視中にａｃＰＷが“Ｌ”でなければ、停電ではないと判断できるので、元の処理を継続する。ａｃＰＷが“Ｌ”であれば、主電源の＋５Ｖが供給されていないと判断することができ、停電であると判断し、ラッチングリレーをＡ接点へ移動し（Ｓ７６）、二次電池と太陽電池とによる電力供給を停止する（Ｓ７７）。実際には、マイコン２８が、ａｃＰＷを起動要因とする停止モード（内部クロックは動作しないモード）に移行する。
【００９４】
停電時に、上記状態にすることによって、通信回線からｃｉ信号が入力されたときに、電話機１４を鳴動させることができる。
【００９５】
また、停電状態から復帰したときは、図５のフローチャートに示す動作の要領で、装置をプラグインしたときと同じ動作を行う。
【００９６】
上記実施例によれば、停電移行時に、ラッチングリレーを電話機の鳴動側に切り替えることができるので、装置を低消費電力化するためにラッチングリレーを用いる場合、無鳴動着信設定時の停電時にファクシミリ以外（たとえば電話機）の使用を妨げることがない。
【００９７】
つまり、上記実施例によれば、主電源を停止させることによる０Ｗスタンバイ状態を実現する場合、外部電話機の鳴動／無鳴動を切り替えるためのリレーとして、通常のリレーを用いるときに必要である無鳴動設定時のリレーに流れる電流を削減することができる。
【００９８】
また、無鳴動着信の設定がされた状態で停電になったときに、鳴動状態に移行した上でシステムをダウンさせることができるので、外部電話機を使うことができ、また、停電時に二次電池から持ち出す電力を削減することができる。
【００９９】
なお、上記実施例を、ファクシミリ装置以外の通信装置に適用することができる。
【０１００】
また、上記実施例を、次の実施形態として把握することができる。
【０１０１】
［実施形態１］  ＦＡＸ通信を行う通信部と；
通話を行う通話部と；
通信回線網を介して着信したときに、上記通話部の鳴動を行うか否かを、自己保持的に切り替える鳴動切り替え手段と；
外部電源に接続され、上記通信部に電源を供給する電源と；
上記電源が上記外部電源との接続を絶たれていることを検知する電源断検知手段と；
上記電源が上記外部電源との接続を絶たれていることを、上記電源断検知手段が検知すると、上記鳴動切り替え手段を鳴動側に切り替えるように制御する制御手段と；
を有することを特徴とする通信装置。
【０１０２】
［実施形態２］  ＦＡＸ通信を行う通信部と；
通話を行う通話部と；
通信回線網を介して着信したときに、上記通話部の鳴動を行うか否かを、自己保持的に切り替える鳴動切り替え手段と；
外部電源に接続され、上記通信部に電源を供給する電源と；
上記電源が上記外部電源との接続を絶たれていることを検知する電源断検知手段と；
上記電源が上記外部電源との接続を絶たれていることを、上記電源断検知手段が検知すると、上記鳴動切り替え手段を鳴動側に切り替えるように制御する制御手段と；
を有することを特徴とするファクシミリ装置。
【０１０３】
【発明の効果】
本発明によれば、電話用の呼出信号とファクシミリ用の呼出信号とを区別し、認識できる通信装置において、スタンバイ時に消費電力を低減することができ、また、二次電池の容量がなくなることによってシステムがダウンしても、電話の呼び出し信号を受信すれば鳴動するという効果を奏する。
【図面の簡単な説明】
【図１】本発明の一実施例であるファクシミリ装置ＦＳ１を示すブロック図である。
【図２】上記実施例において、ＣＰＵ２と、ＣＰＵ２のリセット電圧検出回路２６との詳細を示す回路図である。
【図３】上記実施例における主電源制御部の詳細を示すブロック図である。
【図４】上記実施例における主電源２７の詳細を示す回路図である。
【図５】ファクシミリ装置ＦＳ１における通信スタンバイ状態の動作を示すフローチャートである。
【図６】ファクシミリ装置ＦＳ１における通信スタンバイ状態の動作を示すフローチャートである。
【図７】上記実施例において、通信スタンバイ状態にあるときにファクシミリ送信を行う動作を示すフローチャートである。
【図８】上記実施例において、通信スタンバイ状態にあるときに、ファクシミリ受信を実行する動作を示すフローチャートである。
【図９】上記実施例において、スタンバイ状態で、ファクシミリに接続している電話に呼出信号が入力しても、呼出音発生回路（不図示）を鳴動せずに、ファクシミリを自動受信する（無鳴動受信する）動作を示すフローチャートである。
【図１０】図９に示すスタンバイ状態での無鳴動受信ルーチンの変形例を示すフローチャートである。
【図１１】上記実施例における停電時の動作を示すフローチャートである。
【符号の説明】
ＦＳ１…ファクシミリ装置、
２…ＣＰＵ、
３…ＲＯＭ、
４…読取部、
９…操作部、
１０…表示部、
１２…ＮＣＵ、
１４…電話機、
１５…原稿検出部、
１６…フッキングスイッチ、
１７…副制御部、
２０…電話機オフフック検出部、
２１…呼出信号検出部、
２７…主電源、
２８…マイコン、
２９…二次電池、
３０…太陽電池、
３１…ＤＣ−ＤＣコンバータ、
３６…放電電圧検出回路、
３７…満充電電圧検出回路。
【図１】
2004242237.tif 000003
【図２】
2004242237.tif 000004
【図３】
2004242237.tif 000005
【図４】
2004242237.tif 000006
【図５】
2004242237.tif 000007
【図６】
2004242237.tif 000008
【図７】
2004242237.tif 000009
【図８】
2004242237.tif 000010
【図９】
2004242237.tif 000011
【図１０】
2004242237.tif 000012
【図１１】
2004242237.tif 000013